(57)【要約】【課題】大面積の点検口が確保でき、また、据え付け設置作業性が向上し、輸送効率，段積み効率が向上するユニットバスを提供する。【解決手段】分割形成された浴槽パン１と洗い場パン５を、左右に立設されるアングル９，１１で連結して、左右のアングル９，１１間に点検口開口を形成させ、点検口開口には着脱可能に点検口蓋１２を取り付けるとともに、この点検口蓋１２及びその周辺をエプロン１４で覆蓋して構成する。【選択図】                図１
2004215933.tif 000002
【特許請求の範囲】
【請求項１】
分割形成された浴槽パンと洗い場パンを、左右に立設されるアングルで連結して、左右のアングル間に点検口開口を形成させ、該点検口開口には着脱可能に点検口蓋を取り付けるとともに、該点検口蓋及びその周辺部分をエプロンで覆蓋したことを特徴とするユニットバス。
【請求項２】
前記浴槽パンには、前記アングルが連結される辺を除く３辺に、壁パネルを載せることのできる壁載せ部が設けられていることを特徴とする請求項１に記載のユニットバス。
【請求項３】
前記洗い場パンには、前記アングルが連結される辺を除く３辺に、壁パネルを載せることのできる壁載せ部が設けられていることを特徴とする請求項１または請求項２に記載のユニットバス。
【発明の詳細な説明】
【０００１】
【発明の属する技術分野】
この発明は、ユニットバスの改良に関するものである。
【０００２】
【従来の技術】
従来のユニットバスは、搬入性およびコスト面で有利であるため、図７に示すように、浴槽パン５１と洗い場パン５２が分割されたものが多く採用されており、洗い場パン５２に一体状に立上がり部５３を設けて、この立上がり部５３を浴槽パン５１と連結しており、立上がり部５３には、点検口５３ａを開口させて、この点検口５３ａには蓋５４を着脱可能に取り付けるように構成している。
また、更には、図８に示すように、洗い場側からエプロン５５を取り付けて、このエプロン５５で、点検口５３ａの蓋５４，５４を隠蔽させるような構造も採用されている。
【０００３】
【特許文献１】
実開平２−６８７８５号公報
【０００４】
【発明が解決しようとする課題】
従来のような構造において、現場で施工する際には、図９に示すように、浴槽パン５１を持ち上げて、洗い場パン５２の立上がり部５３の奥側に浴槽パン５１を配置し、図１０に示すような連結構造で設置しているが、現場で浴槽パン５１を持ち上げる際に、洗い場パン５２の立上がり部５３が障害物となり、作業性が悪くなっていた。
【０００５】
また、従来では、強度等の問題が生ずるため、それ程大きな点検口５３ａを確保することはできないものであった。
また、従来では、洗い場パン５２に立上がり部５３が存在するために、積み上げて保管する場合や、輸送する場合に、洗い場パン５２を多数枚段積みすることが困難となり、輸送効率や段積み効率が悪いものであった。
なお、特許文献１に開示されているような構造のものが存在するが、この構造では、点検口が固定されて、点検口としての機能が発揮できないものであった。
【０００６】
【課題を解決するための手段】
本発明は、上記従来の問題点に鑑み案出したものであって、施工性が良好で、広い点検口を確保することができ、しかも、保管や運搬が容易となるユニットバスを提供せんことを目的とし、その第１の要旨は、分割形成された浴槽パンと洗い場パンを、左右に立設されるアングルで連結して、左右のアングル間に点検口開口を形成させ、該点検口開口には着脱可能に点検口蓋を取り付けるとともに、該点検口蓋及びその周辺部分をエプロンで覆蓋したことである。
【０００７】
また、第２の要旨は、前記浴槽パンには、前記アングルが連結される辺を除く３辺に、壁パネルを載せることのできる壁載せ部が設けられていることである。また、第３の要旨は、前記洗い場パンには、前記アングルが連結される辺を除く３辺に、壁パネルを載せることのできる壁載せ部が設けられていることである。
【０００８】
【発明の実施の形態】
以下、本発明の実施例を図面に基づいて説明する。
図１は、構成部材の分解図を示すものであり、また図２は、浴槽パンと洗い場パンの連結状態を示すものである。
図において、浴槽パン１は、浴槽を形成する浴槽部２の上端外周３辺に、外側へ略水平状に突出して、壁パネルを載せることのできる壁載せ部４，４，４が一体形成されており、この壁載せ部４，４，４を除く上端の１辺は、接合辺３となっており、この接合辺３の前端には、下方側へ垂下して前垂部３ａが一体形成されている。
【０００９】
また、分割形成された洗い場パン５は、略平面状の洗い場６の後端に、上方へ立ち上げて立上がり部７が一体形成されており、この立上がり部７は、その立上がり高さが極めて低いものとなっており、この立上がり部７には、ビス孔７ａ，７ａが形成されている。
また、洗い場６の立上がり部７を除く３辺の外周側には、壁パネルを載せることのできる壁載せ部８，８，８が形成されている。
【００１０】
本例では、浴槽パン１と洗い場パン５を連結するために、一対の左アングル９と右アングル１１が用いられる。
左アングル９は、略Ｚ状に形成されており、外片９ａから９０°折曲して折曲片９ｂが一体形成され、折曲片９ｂから９０°折り曲げて、内片９ｃが外片９ａと略平行状に一体形成されたものであり、内片９ｃには、点検口蓋１２を固定するため、上下方向に２個のビス孔１０，１０が貫通形成されている。
右アングル１１は、左アングル９を反転させた同一形状のものであり、外片１１ａと折曲片１１ｂと内片１１ｃで略Ｚ状に形成されており、内片１１ｃにはビス孔１０，１０が貫通形成されている。
【００１１】
図２に示すように、洗い場パン５の立上がり部７の前面に、左右のアングル９，１１の下端を固定し、左右のアングル９，１１の上端を、浴槽パン１の前垂部３ａの裏側に固定して、左右のアングル９，１１で浴槽パン１と洗い場パン５を連結することができ、この状態で、左アングル９と右アングル１１と、浴槽パン１の前垂部３ａと、洗い場パン５の立上がり部７で囲まれた広い開口面積を有する点検口開口Ｋが形成される。
【００１２】
この図２の連結状態において、点検口開口Ｋには、洗い場パン５側から点検口蓋１２が着脱可能に取り付けられるものである。
点検口蓋１２の平板部１２ａの外周には、コの字状断面の外周凹部１２ｂが一体形成されており、外周凹部１２ｂ内には、図３に示すように、ブロック状断面のシール材１６を嵌め込むことができるように構成されている。
【００１３】
点検口蓋１２は左右両端が、図４の平面断面図で示すように、左右のアングル９，１１のそれぞれの内片９ｃ，１１ｃに前面側から当接されて、点検口蓋１２の平板部１２ａに貫通形成されたビス孔１３にビス１５を挿し込み、左右のアングル９，１１のビス孔１０，１０にビス１５を締め込んで取り付けることができ、内片９ｃ，１１ｃと外周凹部１２ｂ間にシール材１６が挟み付けられて、良好なシール性が得られるものである。
【００１４】
また、点検口蓋１２の上端側は、図３に示すように、浴槽１の前垂部３ａの奥側に垂設されたリブ３ｂに当接させ、このリブ３ｂにビス１５を締め付けて固定することができ、リブ３ｂと外周凹部１２ｂ間にシール材１６が挟み付けられて、良好なシール性が得られるものである。
また、点検口蓋１２の下端側は、洗い場パン５の立上がり部７の前面に当接させ、ビス孔７ａ，７ａにビス１５を締め付けて固定することができ、立上がり部７と外周凹部１２ｂ間にシール材１６が挟み付けられて、良好なシール性が得られるものである。
【００１５】
なお、図４に示すように、左右のアングル９，１１のそれぞれの折曲片９ｂ，１１ｂの内側に、Ｌ字状の鉤片１１ｄを一体形成させておくと、この鉤片１１ｄ内にシール材１８を入れて、このシール材１８内に、洗い場パン５側からエプロン１４の側片１４ｅを挿し込んで、エプロン１４も良好にシールすることができるものである。
【００１６】
なお、エプロン１４の上端は、図３に示すように、水平片１４ｂと、この水平片１４ｂから上方へ立ち上がる上部立上片１４ｃと、その上端で裏側へ傾斜状に突出する当接片１４ｄを備えており、上部立上片１４ｃをシール材１７を介在させて、浴槽１の前垂部３ａの裏側へ差し込み、当接片１４ｄを点検口蓋１２の外周凹部１２ｂの外側に当接させて、浴槽１に嵌め込み固定することができるものである。
【００１７】
なお、図５の変更例で示すように、洗い場パン５の立上がり部７の上端に、水平片７ｂを一体形成させ、水平片７ｂの先端で上方へ立ち上がる立片７ｃを一体形成させておいても良く、この図５のような形状の洗い場パン５においては、立片７ｃにビス孔７ａを貫通形成させて、この立片７ｃのビス孔７ａにビス１５を締め付け、立片７ｃにシール材１６を介在させて当接状に点検口蓋１２を取り付けることができ、また、水平片７ｂ上に、エプロン１４の下端の下部当接片１４ｆを嵌め込んで、エプロン１４を着脱可能に取り付けることができるものである。
【００１８】
なお、エプロン１４を取り付けた状態では、洗い場６側から見た場合に、点検口蓋１２は隠蔽された状態となり、左右のアングルの内片９ｃ，１１ｃも隠蔽されて、左右のアングル９，１１のそれぞれの折曲片９ｂ，１１ｂ内に、エプロン１４の側片１４ｅが嵌め込まれた状態となる。
従って、接続部分のビス１５は、完全に隠蔽された状態となり、スッキリとした設置状態が得られるものである。
【００１９】
なお、図６の分解図で示すものは、浴槽パン１と洗い場パン５の形状を変更したものである。
即ち、浴槽パン１の壁載せ部４，４，４の外側に、一体状に水切片１ａ，１ａ，１ａが立ち上げ形成されたものであり、また洗い場パン５側においても、壁載せ部８，８，８の外側に、一体状に水切片６ａ，６ａ，６ａが立ち上げ形成されたものである。
このような形状では、水切片１ａ，１ａ，１ａの内側に壁パネルを良好に建て付けることができ、また洗い場パン５側においても、水切片６ａ，６ａ，６ａの内側に良好に壁パネルを建て付けることができるものとなる。
【００２０】
なお、現場へは各部材をバラバラの状態にして搬入することができ、搬入効率が良好なものとなる。
また、現場での取付作業軽減のため、アングル９，１１を予め工場で浴槽パン１に取り付けて出荷しても良い。（アングル９，１１を浴槽パン１に取り付けておいても、浴槽パン１からの突出は少なく、浴槽パン１の搬入性を損なう程度でない。）
特に、洗い場パン５の立上がり部７の立ち上げ寸法が極めて小さいために、洗い場パン５を多数枚段積みすることができ、輸送が良好となり、また倉庫等に保管しておく場合にも、多数枚を段積みすることができ、保管スペースも少なくて済む。
【００２１】
【発明の効果】
本発明のユニットバスは、分割形成された浴槽パンと洗い場パンを、左右に立設されるアングルで連結して、左右のアングル間に点検口開口を形成させ、点検口開口には着脱可能に点検口蓋を取り付けるとともに、点検口蓋及びその周辺部分をエプロンで覆蓋したことにより、左右のアングル間に点検口開口が形成されるため、従来よりも大きな面積の点検口を確保することができるものとなる。
また、洗い場パンの立上がり部は、従来のように高さが高くないために、据え付け設置時の作業性が向上し、また、輸送効率，段積み効率が向上する。
【００２２】
また、浴槽パンには、アングルが連結される辺を除く３辺に、壁パネルを載せることのできる壁載せ部が設けられていることにより、浴槽パンに直接壁パネルを載せて、良好にユニットバスの壁面を構築することができるものとなる。
【００２３】
また、洗い場パンには、アングルが連結される辺を除く３辺に、壁パネルを載せることのできる壁載せ部が設けられていることにより、洗い場パンに直接壁パネルを載せて、良好にユニットバスの壁面を構築することができるものとなる。
【図面の簡単な説明】
【図１】浴槽パンと洗い場パンと左右のアングルと点検口蓋とエプロンの分解斜視図である。
【図２】左右のアングルを介して、浴槽パンと洗い場パンを連結した状態の斜視構成図である。
【図３】点検口蓋及びエプロンの上部部位の取付状態を示す縦断面拡大構成図である。
【図４】点検口蓋とエプロンの側面側の取付状態を示す平面断面拡大構成図である。
【図５】立上がり部を変形した洗い場パンに、点検口蓋とエプロンを取り付けた状態の縦断面構成図である。
【図６】水切片を備えた浴槽パンと洗い場パンと構成部材の分解斜視図である。
【図７】従来の浴槽パンと洗い場パンの斜視構成図である。
【図８】更にエプロンを備えた従来の構成部材の斜視構成図である。
【図９】従来、洗い場パンの立上がり部が邪魔になり、浴槽パンを設置時に持ち上げる必要があることを示す作業説明図である。
【図１０】従来の浴槽パンと洗い場パンの連結状態の断面構成図である。
【符号の説明】
１    浴槽パン
１ａ    水切片
２    浴槽部
３    接合辺
３ａ    前垂部
４    壁載せ部
５    洗い場パン
６    洗い場
６ａ    水切片
７    立上がり部
７ａ    ビス孔
７ｂ    水平片
７ｃ  立片
８    壁載せ部
９    左アングル
９ａ，１１ａ    外片
９ｂ，１１ｂ    折曲片
９ｃ，１１ｃ    内片
１０    ビス孔
１１    右アングル
１２    点検口蓋
１２ａ    平板部
１２ｂ    外周凹部
１３    ビス孔
１４    エプロン
１４ａ    本体部
１４ｂ    水平片
１４ｃ    上部立上片
１４ｄ    当接片
１４ｅ    側片
１４ｆ    下部当接片
１５    ビス
１６，１７，１８    シール材
【図１】
2004215933.tif 000003
【図２】
2004215933.tif 000004
【図３】
2004215933.tif 000005
【図４】
2004215933.tif 000006
【図５】
2004215933.tif 000007
【図６】
2004215933.tif 000008
【図７】
2004215933.tif 000009
【図８】
2004215933.tif 000010
【図９】
2004215933.tif 000011
【図１０】
2004215933.tif 000012